(57)【要約】【課題】定着装置を通過する際にトナー像が加熱定着された加熱定着シートが前記定着装置のシート搬送方向下流側に配置されたシート搬送用のロールに接触するまでにシート表面を冷却すること。【解決手段】画像形成装置Ｕの定着領域Ｑ５を通過した加熱定着シートＳのトナー像に最初に接触するシート搬送用の第１接触ローラＲｃと、定着領域Ｑ５下流側の加熱シート搬送路（８＋９）の周囲の定着装置下流領域温度Ｔ３を検出する定着装置下流領域温度センサＳＮ３と、トナー像が加熱定着されたシートＳ表面が冷却されてから前記シートＳを前記第１接触ローラＲｃに接触させるために、定着装置下流領域温度センサＳＮ３の検出温度Ｔ３が所定の設定温度Ｔ３ａよりも大きい場合には、前記加熱シート搬送路（８＋９）の加熱シート搬送速度を低下させる加熱シート搬送速度制御手段Ｃ７とを備えた画像形成装置。【選択図】図１
2005062700.tif 000002
【特許請求の範囲】
【請求項１】
次の構成要件（Ａ01）〜（Ａ07）を備えた画像形成装置、
（Ａ01）画像記録用のシートを搬送するためのシート搬送路とシート搬送部材とを有し、前記シート搬送路の途中に設定された転写領域および定着領域に順次シートを搬送するシート搬送装置、
（Ａ02）前記転写領域を通過するシート上にトナー像を形成するトナー像形成装置、
（Ａ03）前記定着領域を通過するシート上のトナー像を加熱定着する一対の定着ロールを有する定着装置、
（Ａ04）前記定着装置のシート搬送方向下流側に配置され且つ前記加熱定着されたシートを搬送する加熱シート搬送路、
（Ａ05）前記定着領域を通過した加熱定着シートのトナー像に最初に接触するシート搬送用の第１接触ローラ、
（Ａ06）前記加熱シート搬送路の周囲の定着装置下流領域温度を検出する定着装置下流領域温度センサ、
（Ａ07）前記トナー像が加熱定着されたシート表面が冷却されてから前記シートを前記第１接触ローラに接触させるために、前記定着装置下流領域温度センサの検出温度が所定の設定温度よりも大きい場合には、前記加熱シート搬送路の加熱シート搬送速度を低下させる加熱シート搬送速度制御手段。
【請求項２】
次の構成要件（Ａ08）を備えた請求項１記載の画像形成装置、
（Ａ08）前記定着装置下流領域温度センサの検出温度が所定の設定温度よりも大きい場合には、前記定着ロールの回転速度を低下させることにより、前記加熱シート搬送路の加熱シート搬送速度を低下させる前記加熱シート搬送速度制御手段。
【請求項３】
次の構成要件（Ａ09）を備えた請求項１記載の画像形成装置、
（Ａ09）前記定着装置下流領域温度センサの検出温度が所定の設定温度よりも大きい場合には、前記トナー像形成装置の構成部材および前記シート搬送部材の駆動速度であるプロセス速度および前記定着ロールの回転速度を低下させる前記加熱シート搬送速度制御手段。
【請求項４】
次の構成要件（Ａ010）を備えた請求項３記載の画像形成装置、
（Ａ010）前記プロセス速度に比較して前記定着ロールの周速度を低下させる前記加熱シート搬送速度制御手段。
【請求項５】
次の構成要件（Ａ011）を備えた請求項１ないし４のいずれか記載の画像形成装置、
（Ａ011）前記定着装置下流領域温度センサの検出温度が所定の設定温度よりも大きい場合には、前記設定温度よりも小さくなるまで前記トナー像形成装置のトナー像形成動作を中断するトナー像形成動作中断手段。
【請求項６】
次の構成要件（Ａ012）〜（Ａ014）を備えた請求項１ないし５のいずれか記載の画像形成装置、
（Ａ012）前記画像記録に使用されるシートの種類を入力するシート種類入力キー、
（Ａ013）前記シート種類入力キーから入力されたシートの種類が光沢シートであるか否かを判別するシート種類判別手段、
（Ａ014）前記光沢シートである場合には、前記加熱シート搬送路の加熱シート搬送速度を低下させる前記加熱シート搬送速度制御手段。
【発明の詳細な説明】
【技術分野】
【０００１】
本発明は、記録シート上に転写したトナー像を加熱定着する電子写真方式の複写機、ＦＡＸ（ファクシミリ）、プリンタ等の画像形成装置に関し、特に記録シート上で定着されたトナー画像の光沢ムラが発生しないようにした画像形成装置に関する。
【背景技術】
【０００２】
前記記録シート上のトナー画像は、シートガイドと擦れたときに傷が付いたり、光沢が変化することがあり、その場合には画像不良が発生することがある。特に、定着装置を通過する際にトナー像が加熱定着された加熱定着シートの表面が冷却されない状態でシートガイドやシート搬送ローラに接触すると、シート上のトナー像の光沢が部分的に変化して、光沢ムラが発生することがある。
この画像不良を防止する従来技術は、例えば、次の公報（Ｊ01），（Ｊ02）に記載されている。
（Ｊ01）特開平１−１７２９８１号公報
この公報には、電子冷却素子により冷却される接触型の冷却部材によりシートを冷却する技術が記載されている。
（Ｊ02）特開平９−２８１８３０号公報
この公報にはシートに冷却風を吹き出す多数の孔を備えた用紙冷却ロールが記載されている。
【０００３】
【特許文献１】特開平１−１７２９８１号公報
【特許文献２】特開平９−２８１８３０号公報
【発明の開示】
【発明が解決しようとする課題】
【０００４】
（前記従来技術（Ｊ01），（Ｊ02）の問題点）
前記従来技術（Ｊ01），（Ｊ02）では、電子冷却素子または、用紙冷却ロール等の構成の複雑な冷却用部材を使用するので、装置の小型化や低コスト化が困難である。
【０００５】
本発明は、前述の事情に鑑み、次の記載内容（Ｏ01）を課題とする。
（Ｏ01）定着装置を通過する際にトナー像が加熱定着された加熱定着シートが前記定着装置のシート搬送方向下流側に配置されたシート搬送用のロールに接触するまでにシート表面を冷却すること。
【課題を解決するための手段】
【０００６】
次に、前記課題を解決した本発明を説明するが、本発明の要素には、後述の実施の形態の要素との対応を容易にするため、実施の形態の要素の符号をカッコで囲んだものを付記する。また、本発明を後述の実施の形態の符号と対応させて説明する理由は、本発明の理解を容易にするためであり、本発明の範囲を実施の形態に限定するためではない。
【０００７】
（本発明）
前記課題を解決するために、本発明の画像形成装置は、次の構成要件（Ａ01）〜（Ａ07）を備えたことを特徴とする。
（Ａ01）画像記録用のシート（Ｓ）を搬送するためのシート搬送路（ＳＨ１〜ＳＨ３）とシート搬送部材（Ｒｐ，Ｒｓ，Ｒａ，Ｒｒ，ＨＢ）とを有し、前記シート搬送路（ＳＨ１〜ＳＨ３）の途中に設定された転写領域（Ｑ４）および定着領域（Ｑ５）に順次シート（Ｓ）を搬送するシート搬送装置（ＳＨ）、
（Ａ02）前記転写領域（Ｑ４）を通過するシート（Ｓ）上にトナー像を形成するトナー像形成装置（ＵＹ〜ＵＫ）、
（Ａ03）前記定着領域（Ｑ５）を通過するシート（Ｓ）上のトナー像を加熱定着する一対の定着ロール（Ｆｈ，Ｆｐ）を有する定着装置（Ｆ）、
（Ａ04）前記定着装置（Ｆ）のシート搬送方向下流側に配置され且つ前記加熱定着されたシート（Ｓ）を搬送する加熱シート搬送路（８＋９）、
（Ａ05）前記定着領域（Ｑ５）を通過した加熱定着シート（Ｓ）のトナー像に最初に接触するシート搬送用の第１接触ローラ（Ｒｃ）、
（Ａ06）前記加熱シート搬送路（８＋９）の周囲の定着装置下流領域温度（Ｔ３）を検出する定着装置下流領域温度センサ（ＳＮ３）、
（Ａ07）前記トナー像が加熱定着されたシート（Ｓ）表面が冷却されてから前記シート（Ｓ）を前記第１接触ローラ（Ｒｃ）に接触させるために、前記定着装置下流領域温度センサ（ＳＮ３）の検出温度（Ｔ３）が所定の設定温度（Ｔ３ａ）よりも大きい場合には、前記加熱シート搬送路（８＋９）の加熱シート搬送速度を低下させる加熱シート搬送速度制御手段（Ｃ７）。
【０００８】
（本発明の作用）
前記構成要件を備えた本発明の画像形成装置では、画像記録用のシート（Ｓ）を搬送するためのシート搬送路（ＳＨ１〜ＳＨ３）とシート搬送部材（Ｒｐ，Ｒｓ，Ｒａ，Ｒｒ，ＨＢ）とを有するシート搬送装置（ＳＨ）は、前記シート搬送路（ＳＨ１〜ＳＨ３）の途中に設定された転写領域（Ｑ４）および定着領域（Ｑ５）に順次シート（Ｓ）を搬送する。トナー像形成装置（ＵＹ〜ＵＫ）は、前記転写領域（Ｑ４）を通過するシート（Ｓ）上にトナー像を形成する。
一対の定着ロール（Ｆｈ，Ｆｐ）を有する定着装置（Ｆ）は、前記定着領域（Ｑ５）を通過するシート（Ｓ）上のトナー像を加熱定着する。前記定着装置（Ｆ）のシート搬送方向下流側に配置された加熱シート搬送路（８＋９）は、前記加熱定着されたシート（Ｓ）を搬送する。前記定着領域（Ｑ５）を通過した加熱定着シート（Ｓ）のトナー像は、最初にシート搬送用の第１接触ローラ（Ｒｃ）に接触する。
定着装置下流領域温度センサ（ＳＮ３）は、前記加熱シート搬送路（８＋９）の周囲の定着装置下流領域温度（Ｔ３）を検出する。
加熱シート搬送速度制御手段（Ｃ７）は、前記トナー像が加熱定着されたシート（Ｓ）表面が冷却されてから前記第１接触ローラ（Ｒｃ）に接触させるために、前記定着装置下流領域温度センサ（ＳＮ３）の検出温度（Ｔ３）が所定の設定温度（Ｔ３ａ）よりも大きい場合には、前記加熱シート搬送路（８＋９）の加熱シート搬送速度を低下させる。
加熱シート搬送速度を低下させることにより、前記定着領域（Ｑ５）を通過した加熱定着シート（Ｓ）のトナー像がシート搬送用の第１接触ローラ（Ｒｃ）に接触するまでの時間が長くなるので、加熱定着領域下流域温度Ｔ３が高くても、前記加熱定着シート（Ｓ）のトナー像の温度は、前記第１接触ローラ（Ｒｃ）に接触するまでに低下する。
【０００９】
前記本発明の画像形成装置において次の構成要件（Ａ08）を備えることが可能である。
（Ａ08）前記定着装置下流領域温度センサ（ＳＮ３）の検出温度（Ｔ３）が所定の設定温度（Ｔ３ａ）よりも大きい場合には、前記定着ロール（Ｆｈ，Ｆｐ）の回転速度を低下させることにより、前記加熱シート搬送路（８＋９）の加熱シート搬送速度を低下させる前記加熱シート搬送速度制御手段（Ｃ７）。
前記構成要件（Ａ08）を備えた本発明の画像形成装置では、前記加熱シート搬送速度制御手段（Ｃ７）は、前記定着装置下流領域温度センサ（ＳＮ３）の検出温度（Ｔ３）が所定の設定温度（Ｔ３ａ）よりも大きい場合には、前記定着ロール（Ｆｈ，Ｆｐ）の回転速度を低下させることにより、前記加熱シート搬送路（８＋９）の加熱シート搬送速度を低下させる。
なお、前記加熱シート搬送速度を低下させる際に、前記トナー像形成装置（ＵＹ〜ＵＫ）の構成部材および前記シート搬送部材（Ｒｐ，Ｒｓ，Ｒａ，Ｒｒ，ＨＢ）の駆動速度であるプロセス速度も同時に低下させることが可能である。また前記プロセス速度は低下させずに加熱シート搬送速度のみを低下させることも可能である。
【００１０】
前記構成要件（Ａ08）を備えた本発明の画像形成装置において次の構成要件（Ａ09）を備えることが可能である。
（Ａ09）前記定着装置下流領域温度センサ（ＳＮ３）の検出温度（Ｔ３）が所定の設定温度（Ｔ３ａ）よりも大きい場合には、前記トナー像形成装置（ＵＹ〜ＵＫ）の構成部材および前記シート搬送部材（Ｒｐ，Ｒｓ，Ｒａ，Ｒｒ，ＨＢ）の駆動速度であるプロセス速度を低下させる前記プロセス速度制御手段（Ｃ６）。
前記構成要件（Ａ09）を備えた本発明の画像形成装置では、前記プロセス速度制御手段（Ｃ６）は、前記定着装置下流領域温度センサ（ＳＮ３）の検出温度（Ｔ３）が所定の設定温度（Ｔ３ａ）よりも大きい場合には、前記トナー像形成装置（ＵＹ〜ＵＫ）の構成部材および前記シート搬送部材（Ｒｐ，Ｒｓ，Ｒａ，Ｒｒ，ＨＢ）の駆動速度であるプロセス速度を低下させる。
【００１１】
前記構成要件（Ａ09）を備えた本発明の画像形成装置において次の構成要件（Ａ010）を備えることが可能である。
（Ａ010）前記プロセス速度に比較して前記定着ロールの周速度を低下させる前記加熱シート搬送速度制御手段（Ｃ７）。
前記構成要件（Ａ010）を備えた本発明の画像形成装置では、前記加熱シート搬送速度制御手段（Ｃ７）は、前記プロセス速度に比較して前記定着ロール（Ｆｈ）の周速度を低下させることにより、加熱シート搬送速度を低下させる。この場合、定着ロール（Ｆｈ）のシート搬送速度が前記プロセス速度に比較して低くなり過ぎると、転写領域（Ｑ４）下流側で先行シートに後続するシートが追いつくので、定着ロール（Ｆｈ）のシート搬送速度の低下量をあまり大きくすることはできない。
【００１２】
前記本発明の画像形成装置または前記構成要件（Ａ08）、（Ａ09）もしくは（Ａ010）を備えた画像形成装置において次の構成要件（Ａ011）を備えることが可能である。
（Ａ011）前記定着装置下流領域温度センサ（ＳＮ３）の検出温度（Ｔ３）が所定の設定温度（Ｔ３ｂ）よりも大きい場合には、前記設定温度よりも小さくなるまで前記トナー像形成装置（ＵＹ〜ＵＫ）のトナー像形成動作を中断するトナー像形成動作中断手段（Ｃ８）。
前記構成要件（Ａ011）を備えた画像形成装置では、トナー像形成動作中断手段（Ｃ８）は、前記定着装置下流領域温度センサ（ＳＮ３）の検出温度（Ｔ３）が所定の設定温度（Ｔ３ｂ）よりも大きい場合には、前記設定温度よりも小さくなるまで前記トナー像形成装置（ＵＹ〜ＵＫ）のトナー像形成動作を中断する。この中断動作により、加熱シート（Ｓ）の表面温度を、トナーに含まれるワックスの融点温度（例えば８５℃〜９０℃）以下に低下させてから、加熱シート（Ｓ）を第１接触ロール（Ｒｃ）に接触させることが可能となる。
【００１３】
前記本発明の画像形成装置または前記構成要件（Ａ08），（Ａ09），（Ａ010），（Ａ011）を備えた画像形成装置において次の構成要件（Ａ012）〜（Ａ014）を備えることが可能である。
（Ａ012）前記画像記録に使用されるシート（Ｓ）の種類を入力するシート種類入力キー（ＵＩ５）、
（Ａ013）前記シート種類入力キー（ＵＩ５）から入力されたシート（Ｓ）の種類が光沢シート（Ｓ）であるか否かを判別するシート種類判別手段（Ｃ１）、
（Ａ014）前記光沢シート（Ｓ）である場合には、前記加熱シート搬送路（８＋９）の加熱シート搬送速度を低下させる前記加熱シート搬送速度制御手段（Ｃ７）。
【００１４】
前記構成要件（Ａ012）〜（Ａ014）を備えた本発明の画像形成装置では、シート種類入力キー（ＵＩ５）により前記画像記録に使用されるシート（Ｓ）の種類が入力される。シート種類判別手段（Ｃ１）は、前記シート種類入力キー（ＵＩ５）から入力されたシート（Ｓ）の種類が光沢シート（Ｓ）であるか否かを判別する。前記加熱シート搬送速度制御手段（Ｃ７）は、前記光沢シート（Ｓ）である場合には、前記加熱シート搬送路（８＋９）の加熱シート搬送速度を低下させる。
【発明の効果】
【００１５】
前述の本発明の感光体ドラムまたは画像形成装置は、下記の効果（Ｅ01）を奏する。
（Ｅ01）定着装置（Ｆ）を通過する際にトナー像が加熱定着された加熱定着シートが前記定着装置（Ｆ）のシート搬送方向下流側に配置されたシート搬送用のロールに接触するまでにシート表面を冷却することができる。したがって、用紙上のトナーのグロスムラが生じることを防止することができる。
【発明を実施するための最良の形態】
【００１６】
次に図面を参照しながら、本発明の実施の形態の例（実施例）の画像形成装置を説明するが、本発明は以下の実施例に限定されるものではない。
（実施例１）
図１は本発明の画像形成装置の実施例１の説明図である。
図１において、実施例１の画像形成装置（デジタル複写機）Ｕは、プリンタ（画像形成装置本体）Ｕ１、イメージスキャナＵ２、自動原稿搬送装置Ｕ３を有している。
前記自動原稿搬送装置Ｕ３は、イメージスキャナＵ２上面のプラテンガラスＰＧ上に支持されている。
【００１７】
前記自動原稿搬送装置Ｕ３は、複写しようとする複数の原稿Ｇｉが重ねて載置される原稿給紙トレイＴＧ1を有している。前記原稿給紙トレイＴＧ1に載置された複数の各原稿Ｇｉは順次プラテンガラスＰＧ上の複写位置（プラテンロールＧＲ１の圧接位置）を通過して原稿排出ロールＧＲ２から原稿排紙トレイＴＧ２に排出されるように構成されている。
前記自動原稿搬送装置Ｕ３は、その後端部（図１の紙面の背面側部分）に設けた図１の左右方向に延びるヒンジ軸（図示せず）により前記プラテンガラスＰＧ上面に対して回動可能であり、原稿Ｇｉを作業者が手でプラテンガラスＰＧ上に置く場合に上方に回動される。
【００１８】
前記イメージスキャナＵ２は、ユーザがコピースタート等の作動指令信号を入力操作するＵＩ（ユーザインタフェース）（図１、図５参照）を有している。
前記透明なプラテンガラスＰＧの下方には原稿画像を読み取るための露光光学系Ａが配置されている。
前記自動原稿搬送装置Ｕ３でプラテンガラスＰＧ上面に搬送されて前記複写位置を通過する原稿または手動でプラテンガラスＰＧ上に置かれた原稿（図示せず）からの反射光は、前記露光光学系Ａを介して、ＣＣＤ（固体撮像素子）で電気信号に変換される。
ＩＰＳ（イメージプロセッシングシステム）は、ＣＣＤから入力されるＲ，Ｇ，Ｂ（レッド、グリーン、ブルー）の電気信号をＹ，Ｍ，Ｃ，Ｋ（イエロー、マゼンタ、シアン、黒）の画像データ（デジタルデータ）に変換して一時的に記憶し、前記画像データを所定のタイミングで潜像形成用の画像データとしてレーザ駆動回路ＤＬに出力する。
レーザ駆動回路ＤＬは、入力された画像データに応じてレーザ駆動信号をＲＯＳ（潜像形成装置）のレーザダイオード（図示せず）に出力する。なお、前記ＵＩ（ユーザインタフェース）、ＩＰＳおよびレーザ駆動回路ＤＬと、後述の現像ロールＲ０、転写ロールＴ１、２次転写ロール（シート転写部材）Ｔ２b等にバイアス電圧を印加する電源回路Ｅ等の動作はコントローラＣにより制御される。
【００１９】
前記ＩＰＳが出力するＹＭＣＫの４色の画像データ（レーザ駆動データ）が入力されたレーザ駆動回路ＤＬは、入力された前記各色の画像データに応じた各色のレーザ駆動信号を所定のタイミングで、各色のＲＯＳ（潜像形成装置）に出力する。
【００２０】
各像担持体（感光体）Ｐｙ，Ｐｍ，Ｐｃ，Ｐｋはそれぞれの帯電ロール（帯電部材）ＣＲｙ〜ＣＲｋにより一様に帯電された後、前記各色のＲＯＳｙ〜ＲＯＳｋ（潜像形成装置）の出力する光ビームによりその表面に静電潜像が形成される。前記像担持体Ｐｙ，Ｐｍ，Ｐｃ，Ｐｋ表面の静電潜像はそれぞれ、各現像器Ｇｙ，Ｇｍ，Ｇｃ，Ｇｋと対向する現像領域において各色ＹＭＣＫのトナー像に現像される。なお、前記各現像器Ｇｙ，Ｇｍ，Ｇｃ，Ｇｋは、各色のトナーを収容した現像容器と、前記現像容器に回転可能に支持され且つ前記像担持体Ｐｙ，Ｐｍ，Ｐｃ，Ｐｋ表面の静電潜像にトナーを搬送してトナー像に現像する現像ロールＲ０を有している。なお、前記各色の現像器Ｇｙ，Ｇｍ，Ｇｃ，Ｇｋの現像容器にはトナーカートリッジＴｙ〜Ｔｋから各色のトナーが補給されるように構成されている。
【００２１】
前記現像された各色ＹＭＣＫのトナー像は、前記各像担持体Ｐｙ，Ｐｍ，Ｐｃ，Ｐｋとエンドレスの中間転写ベルト（像担持体）Ｂとが接触する１次転写領域Ｑ３に搬送される。前記各１次転写領域Ｑ３において中間転写ベルトＢの裏面側に配置された１次転写ロールＴ１には、コントローラＣにより制御される電源回路Ｅから所定のタイミングで現像剤の帯電極性と逆極性の１次転写電圧が印加される。前記各像担持体Ｐｙ〜Ｐｋ上のトナー像は前記各１次転写ロールＴ１に対向する１次転写領域Ｑ３において中間転写ベルトＢに重ねて１次転写される。１次転写後の像担持体Ｐｙ，Ｐｍ，Ｐｃ，Ｐｋ表面の残留トナーは、像担持体クリーナＣＬｐで除去される。
【００２２】
前記各像担持体Ｐｙ〜Ｐｋ、各色のＲＯＳｙ〜ＲＯＳｋ（潜像形成装置）、各色の現像器Ｇｙ〜Ｇｋによって、前記各像担持体Ｐｙ〜Ｐｋ上に各色のトナー像を形成する各色のトナー像形成装置ＵＹ（Ｐｙ＋ＲＯＳｙ＋Ｇｙ），ＵＭ（Ｐｍ＋ＲＯＳｍ＋Ｇｍ），ＵＣ（Ｐｃ＋ＲＯＳｃ＋Ｇｃ），ＵＫ（Ｐｋ＋ＲＯＳｋ＋Ｇｋ）が構成される。
【００２３】
前記各色の像担持体Ｐｙ，Ｐｍ，Ｐｃ，Ｐｋの下方には左右一対のスライドレールＳＲ，ＳＲによりスライドフレームＦ１が前後方向（紙面に垂直な方向、すなわち、Ｘ軸方向）にスライド移動可能に支持されている。スライドフレームＦ１にはベルトモジュールＢＭのベルトフレームＦ２が上昇した動作位置（像担持体Ｐｙ〜Ｐｋに接触する位置）と下方に移動したメンテナンス位置（像担持体Ｐｙ〜Ｐｋから下方に離れた位置）との間で昇降可能に支持されている。前記ベルトモジュールＢＭが前記ベルトメンテナンス位置に下降した状態では、前記スライドフレームＦ１およびこれに支持されたベルトモジュールＢＭを、前記像担持体ＰＲと摩擦接触させることなく、画像形成装置本体Ｕ１に対して出入させることができるように構成されている。
前記スライドフレームＦ１を前後移動させる構成およびベルトモジュールＢＭを昇降させる構成は、従来公知（例えば、特開平８−１７１２４８号公報参照）であり、従来公知の種々の構成を採用することが可能である。
【００２４】
前記ベルトモジュールＢＭは、前記中間転写ベルトＢと、ベルト駆動ロールＲｄ、テンションロールＲｔ、ウォーキングロールＲｗ、複数のアイドラロール（フリーロール）ＲｆおよびバックアップロールＴ２ａを含むベルト支持ロール（Ｒｄ，Ｒt，Ｒｗ，Ｒｆ，Ｔ２ａ）と、前記４個の１次転写ロールＴ１とを有している。そして、前記中間転写ベルトＢは前記ベルト支持ロール（Ｒｄ，Ｒt，Ｒｗ，Ｒｆ，Ｔ２ａ）により矢印Ｙａ方向に回転移動可能に支持されている。
【００２５】
前記バックアップロールＴ２aに接する中間転写ベルトＢの表面に対向して２次転写ロール（シート転写部材）Ｔ２bが配置されており、中間転写ベルトＢおよび２次転写ロールＴ２bの対向する領域には２次転写領域（シート転写領域）Ｑ４が形成される。前記２次転写ロールＴ２bにはコントローラＣにより制御される電源回路Ｅから所定のタイミングで現像剤の帯電極性と逆極性の２次転写電圧が印加される。前記２次転写ロールＴ２bに対向して配置された前記バックアップロールＴ２aはアース（接地）されており、前記２次転写ロールＴ２bに２次転写電圧が印加されたときには、前記２次転写ロールＴ２bおよびバックアップロールＴ２a間には２次転写電界が形成される。前記バックアップロールＴ２aおよび２次転写ロールＴ２bにより２次転写器Ｔ２が構成される。
前記４個の１次転写ロールＴ１および中間転写ベルトＢを含むベルトモジュールＢＭと、２次転写器Ｔ２等により、トナー像形成装置（ＵＹ，ＵＭ，ＵＣ，ＵＫ）の像担持体Ｐｙ〜Ｐｋ表面に形成されたトナー像を記録シートＳに転写する転写装置（ＢＭ＋Ｔ２）が構成されている。
【００２６】
プリンタ（画像形成装置本体）Ｕ１の下部には、シートＳを収容したカセットトレイ（給紙トレイ）ＴＲ１〜ＴＲ３および給紙用シート搬送路ＳＨ１が設けられている。また、前記給紙用シート搬送路ＳＨ１には手差トレイ（給紙トレイ）ＴＲ４から給紙できるように構成されている。前記カセットトレイ（給紙トレイ）ＴＲ１〜ＴＲ３に収容されたシートＳは、所定のタイミングでピックアップロールＲｐにより取り出され、さばきロールＲｓで１枚づつ分離されて、複数の搬送ロールＲａによりレジロールＲｒに搬送される。また、手差トレイ（給紙トレイ）ＴＲ４から給紙されたシートは搬送ロールＲａによりレジロールＲｒに搬送される。前記レジロールＲｒに搬送された記録シートＳは、前記中間転写ベルトＢに１次転写された多重トナー像または単色トナー像が２次転写領域Ｑ４に移動するのにタイミングを合わせて、２次転写領域Ｑ４に搬送される。
前記２次転写領域Ｑ４を記録シートＳが通過する際、２次転写ロールＴ２bに前記２次転写電圧が印加されるので、前記中間転写ベルトＢに重ねて１次転写されたカラートナー像は、前記２次転写領域Ｑ４において一括して記録シートＳに２次転写される。
２次転写後の中間転写ベルトＢはベルトクリーナＣＬbにより残留トナーが除去される。
この時、一時転写の終了後に転写ベルトの速度を遅くして、２次転写を実施することが可能である。また、画像の長さによっては転写ベルトを一回転空回りさせてから、２次転写を実施することも可能である。
【００２７】
トナー像が２次転写された前記記録シートＳは、転写後シートガイドＳＧ、シート搬送ベルトＨＢにより定着装置Ｆに搬送される。定着装置Ｆは一対の圧接する加熱ロールＦｈおよび加圧ロールＦｐ（図２参照）を有しており、前記加熱ロールＦｈおよび加圧ロールＦｐの圧接領域により定着領域Ｑ５が形成されている。前記記録シートＳ上のトナー像は前記定着領域Ｑ５を通過する際に、加熱定着される。トナー像が定着された記録シートＳは、排出用シート搬送路ＳＨ2または両面記録用シート搬送路ＳＨ3に搬送される。排出用シート搬送路ＳＨ2に搬送されたシートは記排紙トレイＴＲｈに排出され、両面記録用シート搬送路ＳＨ3に搬送されたシートは表裏反転されてから前記レジロールＲｒに再送される。
前記符号Ｒｐ，Ｒｓ，Ｒａ，Ｒｒ，ＳＧ，ＨＢ，ＳＨ１，ＳＨ２，ＳＨ３等で示された要素によりシート搬送装置ＳＨが構成されている。
前記符号ＳＨ１，ＳＨ２，ＳＨ３で示された要素によりシート搬送路（ＳＨ１〜ＳＨ３）が構成されている。また、前記符号Ｒｐ，Ｒｓ，Ｒａ，Ｒｒ，ＨＢ等で示された要素によりシート搬送部材（Ｒｐ，Ｒｓ，Ｒａ，Ｒｒ，ＨＢ）が構成されている。
【００２８】
（定着装置）
図２は前記図１に示す定着装置の拡大断面図である。
図２において、定着装置Ｆは外側壁１および内側壁２を有しており、前記外側壁１および内側壁２の間には吸引ダクト３が形成されている。吸引ダクト３は定着装置Ｆの後側（−Ｘ側）に設けた排気口３ａから排気用ファン４（図４参照）により吸引され、定着装置周囲の高温の空気を排出するように構成されている。前記外側壁１には、複数の通気口１ａが形成されている。定着領域Ｑ５のシート搬送方向下流側周囲の空気は、前記複数の通気口１ａからダクト３内部に吸引され、ダクト３の排気口３ａから排気される。
内側壁２の内側には、前記加熱ロールＦｈ表面にシート剥離用オイルを塗布する円筒状のオイル塗布部材５が支持されており、また、加熱ロールＦｈ表面のオイルを拭き取るためにオイル拭き取り部材６が支持されている。
定着装置Ｆの加熱ロールＦｈおよび加圧ロールＦｐの圧接領域Ｑ５のシート搬送方向上流側にはシートガイド７ａ，７ｂが配置されている。前記定着領域Ｑ５の下流側には、通過するシート下面をガイドするシート下面ガイド８および９が順次配置されている。前記シート下面ガイド８および９により加熱シート搬送路（８＋９）が形成されている。前記シート下面ガイド９には、その上面側の周囲の温度（定着装置下流領域温度）Ｔ３を検出するための温度センサ（定着装置下流領域温度センサ）ＳＮ３が支持されている。
【００２９】
図３は前記図２のIII−III線要部断面図である。
図２、図３において、加熱ロールＦｈは内部に小サイズシート用ヒータｈ１および大サイズ紙使用ヒータｈ２を内蔵しており、そのロール軸方向両端部は軸受Ｆｈａ，Ｆｈａを介して図示しないフレームに回転可能に支持されている。また、加圧ロールＦｐのロール軸方向両端部は軸受Ｆｐａ，Ｆｐａを介して図示しないフレームに回転可能に支持されている。
【００３０】
（小サイズシート用ヒータｈ１）
小サイズシート用ヒータｈ１は小サイズシート（シート搬送方向に垂直な方向のシート幅がＡ４ＳＥＦ以下のシート）の通過する領域である小サイズシート定着領域Ｒ１（図３参照）とほぼ同じ幅を加熱するように構成され、LetterＳＥ（レターサイズシートショートエッジ）の幅以下のシートを定着する際には小サイズシート用ヒータｈ１のみがオンオフ制御される。
（大サイズシート用ヒータｈ２）
ヒータｈ２は大サイズシート（シート搬送方向に垂直な方向のシート幅がＡ４ＳＥＦより長いシート）の通過する領域である大サイズシート定着領域Ｒ２（図３参照）とほぼ同一の幅を有しており、LetterＳＥ（レターサイズシートショートエッジ）の幅よりも大きい幅のシートを定着する際には大サイズシート用ヒータｈ２および前記小サイズシート用ヒータｈ１が交互に使用される。
【００３１】
なお、図３において例えばＡ４ＬＥＦの「ＬＥＦ」は、ロングエッジフィードの略語であり、用紙の長辺（ロングエッジ）を前端にして搬送する（フィードする）シートの意味であり、前記Ａ３ＳＥＦの「ＳＥＦ」は、ショートエッジフィードの略語であり、用紙の短辺（ショートエッジ）を前端にして搬送する（フィードする）シートの意味である。
なお、本実施例においては、前記小サイズシート用ヒータｈ１の発熱量分布は小サイズシート用ヒータｈ１の長さに沿って一定とされているが、大サイズシート用ヒータｈ２の発熱量分布は両端部が中央部よりも大きくなっている。その理由は、ヒータｈ２の端部の通紙域の熱量が軸受部を通して外側に逃げて、通紙域の端部の温度が低下するのを防止するためである。
前記加熱ロールＦｈ表面の中央部および端部の温度は、中央部温度センサＳＮ１および端部温度センサＳＮ２により検出されている。中央部温度センサＳＮ１は加熱ロールＦｈ表面の通紙領域の中央部の温度を検出し、端部温度センサＳＮ２は加熱ロールＦｈの通紙領域の外側部分の温度を検出している。
【００３２】
前記定着領域Ｑ５で画像が定着されたシートＳは、図２に示す前記加熱シート搬送路（８＋９）を通って第１接触ローラＲｃに搬送される。前記接触ローラＲｃは、シート表面のトナー像が加熱定着された後に最初に接触するローラである。シート表面が第１接触ローラＲｃに接触するまでにシート表面温度が８５℃〜９０℃以下に冷却されていない場合には、トナー像に光沢ムラが生じることがある。したがって、前記シート表面は第１接触ローラＲｃに接触するまでに８５℃〜９０℃以下に冷却する必要がある。そのため、本実施例の画像形成装置では、光沢シートを使用する場合、加熱シート搬送路（８＋９）の周囲の定着装置下流領域の温度センサＳＮ３の検出温度Ｔ３がＴ３≦Ｔ３ｂ（＝３５℃）に保持される。前記第１接触ローラＲｃの下流側には、切り替えゲートＴＧ１が設けられている。前記第１接触ローラＲＰを通過したシートＳは、切り替えゲートＴＧ１により片面ジョブ（片面画像記録動作）の場合は排出用シート搬送路ＳＨ２に搬送され、両面ジョブ（両面画像記録動作）の場合は両面記録用シート搬送路ＳＨ３に搬送される。
【００３３】
（実施例１の制御部の説明）
図４は実施例１の画像形成装置の制御部分が備えている各機能をブロック図（機能ブロック図）で示した図である。
図４において、前記コントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、前記ＲＯＭに記憶されたプログラムに応じた処理を行うＣＰＵ（中央演算処理装置）、ならびにクロック発振器等を有するコンピュータにより構成されており、前記ＲＯＭに記憶されたプログラムを実行することにより種々の機能を実現することができる。
【００３４】
（前記コントローラＣに接続された信号入力要素）
前記コントローラＣには、次の信号出力要素ＵＩ，ＳＮ１〜ＳＮ４の出力信号が入力されている。
ＵＩ：ユーザインタフェース
ユーザインタフェースＵＩは、表示部ＵＩ1、コピースタートキーＵＩ2、コピー枚数入力キーＵＩ3、テンキーＵＩ4、シート種類入力キーＵＩ5等を備えている。
ＳＮ１：加熱ロール中央部温度センサ
加熱ロール中央部温度センサＳＮ１は、加熱ロールＦｈ表面の中央部の温度Ｔ１を検出する。
ＳＮ２：加熱ロール端部温度センサ
加熱ロール端部温度センサＳＮ２は、加熱ロールＦｈ表面の端部で且つ通紙領域の外側部分の温度Ｔ２を検出する。
【００３５】
ＳＮ３：定着装置下流領域温度センサ
定着装置下流領域温度センサＳＮ３は、加熱シート搬送路（８＋９）の周囲の定着装置下流領域温度Ｔ３を検出する。
ＳＮ４：シートサイズセンサ
シートサイズセンサＳＮ４は各カセットトレイＴＲ１〜ＴＲ３にそれぞれ設けられており、各カセットトレイＴＲ１〜ＴＲ３に収容されているシートのサイズを検出する。そして、各カセットトレイＴＲ１〜ＴＲ３に収容されているシートの給紙開始時になると、シートサイズ検出信号をコントローラＣに出力する。
【００３６】
（前記コントローラＣに接続された制御要素）
（コントローラＣに接続された被制御要素）
コントローラＣは、次の被制御要素ＤＬｙ〜ＤＬｋ、Ｄｙ〜Ｄｋ、Ｄ１、Ｄ２、Ｅの制御信号を出力している。
ＤＬｙ〜ＤＬｋ：レーザ駆動回路
レーザ駆動回路ＤＬｙ〜ＤＬｋは、ＲＯＳｙ〜ＲＯＳｋ（潜像形成装置）のレーザダイオード（図示せず）を駆動して感光体Ｐｙ〜Ｐｋ表面に静電潜像を形成する。
Ｄｙ〜Ｄｋ：メインモータ駆動回路
メインモータ駆動回路Ｄｙ〜Ｄｋは、メインモータＭｙ〜Ｍｋを駆動することにより図示しないギヤを介してＹ（イエロー）、Ｍ（マゼンタ）、Ｃ（シアン）、Ｋ（黒）各色の像担持体ＰＲｙ〜ＰＲｋおよび現像器Ｇｙ〜Ｇｋの現像ロールＲ０（図１参照）等を回転駆動する。
【００３７】
Ｅ：電源回路
電源回路Ｅは次の電源回路Ｅ１〜Ｅ５を有している。
Ｅ１ｙ〜Ｅ１ｋ：現像バイアス用電源回路
現像バイアス用電源回路Ｅ１ｙ〜Ｅ１ｋは、前記Ｙ，Ｍ，Ｃ，Ｋの各色の現像器Ｇｙ〜Ｇｋ（図１、図４参照）の現像ロールＧ０（図１参照）に現像バイアスを印加する。
Ｅ２ｙ〜Ｅ２ｋ：帯電用電源回路
帯電用電源回路Ｅ２ｙ〜Ｅ２ｋは、帯電ロールＣＲｙ〜ＣＲｋに帯電バイアスを印加する。
Ｅ３ｙ〜Ｅ３ｋ：１次転写用電源回路
１次転写用電源回路Ｅ３ｙ〜Ｅ３ｋは、１次転写ロールＴｙ〜Ｔｋに１次転写バイアスを印加する。
Ｅ４：２次転写用電源回路
２次転写用電源回路Ｅ４は、２次転写ロール（シートにトナー像を転写するシート転写ロール）Ｔ２ｂに２次転写バイアスを印加する。
Ｅ５：加熱用電源回路
加熱用電源回路Ｅ５は、加熱ロールＦｈの小サイズヒータｈ１および大サイズヒータｈ２に加熱用電力を供給する。
【００３８】
Ｄ１：定着ロール駆動回路
定着ロール駆動回路はＤ１は、定着ロール駆動モータＭ１を駆動することにより図示しないギヤを介して定着装置Ｆの加熱ロールＦｈを回転駆動する。加熱ロールＦｈが回転すると加熱ロールＦｈに圧接する加圧ロールＦｐも回転する。前記加熱ロールＦｈおよび加圧ロールＦｐにより構成される定着ロールＦｈ，Ｆｐの回転速度により、定着領域Ｑ５を通過する時および通過した後の画像記録用のシートＳの搬送速度（加熱シート搬送速度）が定まる。すなわち、加熱ロールＦｈの回転速度を制御することにより加熱シートの搬送速度を制御することができる。
Ｄ２：排気用駆動回路
排気用駆動回路Ｄ２は、排気用モータＭ２を駆動して排気用ファン４（図４参照）を作動させる。
【００３９】
（前記コントローラＣの機能）
前記コントローラＣは、前記各信号出力要素ＵＩ，ＳＮ１〜ＳＮ４からの出力信号に応じた処理を実行して、前記各制御要素ＤＬｙ〜ＤＬｋ、Ｄｙ〜Ｄｋ、Ｄ１、Ｄ２、Ｅに制御信号を出力する機能を実現するプログラム（機能実現手段）を有している。前記コントローラＣの各種機能を実現するプログラム（機能実現手段）を次に説明する。
Ｃ１：シート種類判別手段
シート種類判別手段Ｃ１は、ＵＩ（ユーザインタフェース）のシート種類入力キーの入力に応じて使用されるシートの種類が光沢シートであるか否かを判別する。：
Ｃ２：メインモータ回転制御手段
メインモータ回転制御手段Ｃ２は、前記メインモータ駆動回路Ｄｙ〜Ｄｋを制御して、感光体Ｐｙ〜Ｐｋ、現像器Ｇｙ〜Ｇｋの現像ロールＲ０等の回転を制御する。
【００４０】
Ｃ３：電源回路制御手段
電源回路制御手段Ｃ３は、次の手段Ｃ３ａ〜Ｃ３ｅを有しており、前記電源回路Ｅを制御して、前記現像バイアス、帯電バイアス、転写バイアス、加熱ロールＦｈのヒータｈ１，ｈ２のオンオフ等を制御する。
Ｃ３ａ：現像バイアス制御手段
現像バイアス制御手段Ｃ３ａは前記現像バイアス用電源回路Ｅ１ｙ〜Ｅ１ｋの動作を制御して現像器Ｇｙ〜Ｇｋの各現像ロールＲ０に印加する現像バイアスを制御する。
Ｃ３ｂ：帯電バイアス制御手段
帯電バイアス制御手段Ｃ３ｂは前記帯電バイアス用電源回路Ｅ２ｙ〜Ｅ２ｋの動作を制御して各帯電ロールＣＲｙ〜ＣＲｋに印加する帯電バイアスを制御する。
【００４１】
Ｃ３ｃ：１次転写バイアス制御手段
１次転写バイアス制御手段Ｃ３ｃは前記１次転写用電源回路Ｅ３ｙ〜Ｅ３ｋの動作を制御して１次転写ロールＴｙ〜Ｔｋに印加する１次転写バイアスを制御する。
Ｃ３ｄ：２次転写バイアス制御手段
２次転写バイアス制御手段Ｃ３ｄは前記２次転写用電源回路Ｅ４の動作を制御して、２次転写ロールＴ２ｂに印加する２次転写バイアスを制御する。
Ｃ３ｅ：ヒータ制御手段
ヒータ制御手段Ｃ３ｅは加熱用電源回路の動作を制御して、前記加熱ロールＦｈの小サイズヒータｈ１および大サイズヒータｈ２をオンオフ制御する。
【００４２】
Ｃ４：潜像形成制御手段
潜像形成制御手段Ｃ４は、レーザ駆動回路ＤＬｙ〜ＤＬｋの動作を制御して、ＲＯＳｙ〜ＲＯＳｋ（潜像形成装置）の各レーザダイオード（図示せず）を駆動し、像担持体Ｐｙ〜Ｐｋ表面に静電潜像を形成する。
Ｃ５：排気ファン制御手段
排気ファン制御手段Ｃ５は、排気用駆動回路Ｄ２の動作を制御して排気用モータＭ２および排気用ファン４を回転駆動する。排気用ファン４の回転により、図２に示す加熱シート搬送路（８＋９）の周囲の空気が前記図２の吸引ダクト３の排気口３ａから排気される。この排気により、加熱シート搬送路（８＋９）の周囲の定着装置下流領域温度Ｔ３を低下させることができる。
【００４３】
Ｃ６：プロセス速度制御手段
プロセス速度制御手段 Ｃ６は、プロセス速度（トナー像形成装置ＵＹ〜ＵＫの構成部材およびトナー像が転写されるまでのシート搬送部材（Ｒｐ，Ｒｓ，Ｒａ，Ｒｒ，ＨＢ）の駆動速度）を、次のように制御する。すなわち、この実施例１では、プロセス速度設定値判別フラグＦｖは、非光沢シートの場合は、Ｆｖ＝「０」が記憶され、光沢シートの場合はＦｖ＝「１」が記憶される。プロセス速度制御手段Ｃ６は、プロセス速度設定値判別フラグＦｖが、Ｆｖ＝「０」のときのプロセス速度を高速度Ｖ０に制御し、Ｆｖ＝「１」のときのプロセス速度を中速度Ｖ１に制御する。
【００４４】
Ｃ７：加熱シート搬送速度制御手段
加熱シート搬送速度制御手段Ｃ７は、定着ロール駆動回路Ｄ１の動作を制御して定着ロール駆動モータＭ１および加熱ロールＦｈを回転駆動する。加熱ロールＦｈの回転速度を制御することにより、図２に示す加熱シート搬送路（８＋９）を搬送される加熱シートの搬送速度を制御することができる。前記加熱シート搬送速度は、本実施例１では次のように制御する。すなわち、この実施例１では、加熱ロール回転速度設定値判別フラグＦｖ′は、非光沢シートの場合は、定着領域下流領域温度センサＳＮ３の検出する定着装置下流領域温度Ｔ３の値に係わらずＦｖ′＝「０」が記憶され、光沢シートの場合はＴ３≦３０℃のときにＦｖ′＝「１」が記憶され、Ｔ３＞３０℃のときはＦｖ′＝「２」が記憶される。加熱シート搬送速度制御手段は前記加熱ロール回転速度設定値判別フラグＦｖ′の値に応じて加熱シートの搬送速度を制御する。すなわち、加熱シート搬送速度制御手段Ｃ７は、Ｆｖ′＝「０」のときは加熱シートの搬送速度を高速度Ｖ０に制御し、Ｆｖ′＝「１」のときは中速度Ｖ１に制御し、Ｆｖ′＝「２」のときは低速度Ｖ２に制御する。
すなわち、前記非光沢シートの場合は、プロセス速度（トナー像形成装置ＵＹ〜ＵＫの構成部材およびトナー像が転写されるまでのシート搬送部材（Ｒｐ，Ｒｓ，Ｒａ，Ｒｒ，ＨＢ）の駆動速度）と加熱シート搬送速度とは一致するように制御される。
【００４５】
Ｃ８：トナー像形成動作中断手段
トナー像形成動作中断手段Ｃ８は、画像記録シートとして光沢シートを使用する場合に、定着装置下流領域温度Ｔ３＞３５℃の時には、光沢シートの画像形成動作を一時中断して、Ｔ３≦３５℃になってから、画像形成動作を再開する。
Ｃ９：シートサイズ判別手段
シートサイズ判別手段Ｃ９は、シートサイズセンサＳＮ４の検出信号に応じて、給紙トレイＴＲ１〜ＴＲ４から給紙されるシートのサイズ（幅）がＡ４ＳＥＦのシートの幅以下であるか否を判別する。
Ｆss：シートサイズ判別フラグ
シートサイズ判別フラグＦssは、給紙開始時になったシートのサイズ（幅）がＡ４ＳＥＦのシート幅以下の場合はＦss＝「０」となり、シートのサイズ（幅）がＡ４ＳＥＦのシート幅より大きい場合およびシートサイズ（幅）の判別が不可能な場合には「１」となる。
【００４６】
Ｆ１：記録開始可否判別フラグ
記録開始可否判別フラグＦ１は、画像記録開始が不可の場合はＦ１＝「０」となり、画像記録開始が可の場合には「１」となる。なお、Ｆ１＝「０」となって画像記録の開始が不可となるのは次の場合である。
（１）画像記録開始時に加熱ロールＦｈの中央部温度センサＳＮ１の検出温度Ｔ１がＴ１＜Ｔａ（Ｔａ＝１８３℃）の場合。
（２）画像記録シートとして光沢シートを使用する場合で、定着装置下流領域温度Ｔ３がＴ３＞３５℃の場合。
ＦＬ：光沢シート判別フラグ
光沢シート判別フラグＦＬは、画像記録に使用するシートが非光沢シートの場合にはＦＬ＝「０」となり、光沢シートの場合にはＦＬ＝「１」となる。
Ｆｖ：プロセス速度設定値判別フラグ
プロセス速度設定値判別フラグＦｖは、非光沢シートの場合は、Ｆｖ＝「０」が記憶され、光沢シートの場合はＦｖ＝「１」が記憶される。
Ｆｖ′：加熱ロール回転速度設定値判別フラグ
加熱ロール回転速度設定値判別フラグＦｖ′は、非光沢シートの場合は、定着領域下流領域温度センサＳＮ３の検出する定着装置下流領域温度Ｔ３の値に係わらずＦｖ′＝「０」が記憶され、光沢シートの場合はＴ３≦３０℃のときにＦｖ′＝「１」が記憶され、Ｔ３＞３０℃のときはＦｖ′＝「２」が記憶される。
ＴＭ：シート種類設定入力初期化時間計時タイマ
シート種類設定入力初期化時間計時タイマＴＭには、シート種類設定入力初期化時間Ｔｍがセットされ、ユーザーが設定入力したシート種類を初期化する時間を計時する。
【００４７】
（フローチャートの説明）
図５は本発明の実施例１の画像形成装置の光沢シート判別フラグ設定処理のフローチャートである。
図５のフローチャートの各ＳＴ（ステップ）の処理は、前記コントローラＣのＲＯＭに記憶されたプログラムに従って行われる。また、この処理は画像形成装置の他の各種処理と並行してマルチタスクで実行される。
図５に示す光沢シート判別フラグ設定処理のフローチャートは画像形成装置Ｕの電源オンにより開始される。
図５のＳＴ１（ステップ１）において、ユーザインタフェースＵＩにおいて、ユーザによるシートの種類を設定する入力があったか否かを判別する。ノー（Ｎ）の場合はＳＴ１を繰り返し、イエス（Ｙ）の場合はＳＴ２に移る。
ＳＴ２において、設定入力されたシートの種類が光沢シートであるか否かを判別する。イエス（Ｙ）の場合はＳＴ３に移り、ノー（Ｎ）の場合はＳＴ４に移る。
ＳＴ３において、光沢シート判別フラグＦＬ＝「１」とする。ＦＬ＝「０」は非光沢シートであることを意味する。
ＳＴ４において、光沢シート判別フラグＦＬ＝「０」とする。ＦＬ＝「１」は光沢シートであることを意味する。
ＳＴ３またはＳＴ４の次に、ＳＴ５に移る。
【００４８】
ＳＴ５において、シート種類設定入力初期化時間計時タイマＴＭにシート種類設定入力初期化時間Ｔｍをセットする。そして、ＳＴ６に移る。
ＳＴ６において、ジョブ開始入力が有ったか否か、即ち、コピースタートキーＵＩ2がオンされたか否かを判別する。ノー（Ｎ）の場合はＳＴ７に移り、イエス（Ｙ）の場合はＳＴ９に戻る。
ＳＴ７において、シート種類設定入力初期化時間計時タイマＴＭがタイムアップしたか否か、即ちシート種類設定入力初期化時間Ｔｍが経過したか否かを判別する。イエス（Ｙ）の場合はＳＴ８に移り、ノー（Ｎ）の場合は前記ＳＴ６に戻る。
ＳＴ７においてノー（Ｎ）の場合は、ユーザがシート種類を設定入力したにもかかわらず、コピースタートキーをオンにせず放置して、シート種類設定入力初期化時間Ｔｍが経過したことを意味する。この場合はＳＴ８において、光沢シート紙判別フラグＦＬ＝「０」として、ＳＴ１に戻る。
なお、シート種類設定入力初期化時間Ｔｍが経過するまでにコピースタートキーＵＩ２がオンになった場合（前記ＳＴ７でイエスの場合）は、ユーザの設定入力に応じたシート種類（光沢シートまたは非光沢シート）に応じたジョブが開始されることになる。
ＳＴ９において、次の処理を実行する。
（１）記録開始可否判別フラグＦ１を初期設定値「０」とする。すなわち、記録開始不可とする。
（２）プロセス速度設定値判別フラグＦｖを初期設定値「０」とする。すなわち、プロセス速度の設定値が高速を意味する。
そして、前記ＳＴ１に戻る。
【００４９】
（ジョブ時画像記録動作制御信号出力処理のメインルーチン）
図６は前記実施例１の画像形成装置のジョブ時画像記録動作制御信号出力処理のフローチャートである。
図６のフローチャートの各ＳＴ（ステップ）の処理は、前記コントローラＣのＲＯＭやハードディスク等に記憶されたプログラムに従って行われる。また、この図６に示す処理は、電源オンにより開始されるとともに、画像形成装置Ｕの他の各種制御処理と並行してマルチタスクで実行される。
図６において、シートのループ制御処理が開始されると、ＳＴ１１において、ジョブ開始入力が有ったか否か判断する。イエス（Ｙ）の場合はＳＴ１２に移り、ノー（Ｎ）の場合はＳＴ１１を繰り返し実行する。
ＳＴ１２において、光沢シート判別フラグＦＬが「０」か否かを判断する。イエス（Ｙ）の場合はＳＴ１３に移り、ノー（Ｎ）の場合はＳＴ１４に移る。
ＳＴ１３において、非光沢シート用画像記録動作制御信号出力処理を行う。なお、このＳＴ１３の処理は図７により後述する。そして、前記ＳＴ１１に戻る。
ＳＴ１４において、光沢シート用画像記録動作制御信号出力処理を行う。なお、このＳＴ１４の処理は図８により後述する。そして、前記ＳＴ１１に戻る。
【００５０】
（非光沢シート用画像記録動作制御信号出力処理：ＳＴ１３のサブルーチン）
図７は前記実施例１の画像形成装置の非光沢シート（光沢シート以外のシート）の画像記録動作制御信号出力処理のフローチャートであり、前記図６のＳＴ１３のサブルーチンのフローチートである。
ＳＴ１３のサブルーチンの処理がスタートすると、ＳＴ２１においてＴ１≧Ｔ１ａか否かを判断する。すなわち、加熱ロール中央部温度センサＳＮ１の検出温度Ｔ１が下限設定値Ｔ１ａ（＝１８３℃）以上か否かを判断する。イエス（Ｙ）の場合はＳＴ２２に移り、ノー（Ｎ）の場合はＳＴ２１を繰り返し実行する。
ＳＴ２２において、Ｆ１＝「１」とする。すなわち、記録開始可否判別フラグＦ１を記録開始可とする。そして、ＳＴ２３に移る。
ＳＴ２３において、原稿画像が有るか否かを判断する。イエス（Ｙ）の場合はＳＴ２４に移り、ノー（Ｎ）の場合は前記ＳＴ１１に戻る。
【００５１】
ＳＴ２４において、画像記録シートサイズＳＳがＳＳ≦Ａ４ＳＥＦか否かを判断する。イエス（Ｙ）の場合はＳＴ２５に移り、ノー（Ｎ）の場合はＳＴ２６に移る。
ＳＴ２５において、シートサイズ判別フラグＦｓｓをＦｓｓ＝「０」とする。Ｆｓｓ＝「０」は、小サイズシート（幅がＡ４ＳＥＦ以下のシート）を意味する。
ＳＴ２６において、シートサイズ判別フラグＦｓｓをＦｓｓ＝「１」とする。Ｆｓｓ＝「１」は、大サイズシート（幅がＡ４ＳＥＦより大きいシートまたは、サイズ検知が不可能なシート）を意味する。すなわち、シートサイズの検知が不可能な場合、シートサイズが不明なシートは大サイズシートとして処理される。
前記ＳＴ２５、ＳＴ２６の次にＳＴ２７に移る。
ＳＴ２７において、次の処理を実行する。
（１）プロセス速度設定値判別フラグＦｖをＦｖ＝「０」とする。Ｆｖ＝「０」は、プロセス速度の設定値が高速Ｖ０であることを意味する。
（２）Ｆｈ（加熱ロール）回転速度設定値判別フラグＦｖ′をＦｖ′＝「０」とする。Ｆｖ＝「０」は、Ｆｈ回転速度（加熱シート搬送速度）の設定値が高速Ｖ０であることを意味する。
そして、ＳＴ２８に移る。
ＳＴ２８において、記録シートへの１頁分の画像転写終了か否かを判断する。ノー（Ｎ）の場合はＳＴ２８を繰り返し実行し、イエス（Ｙ）の場合は前記ＳＴ２３に戻る。
【００５２】
（光沢シート用画像記録動作制御信号出力処理：ＳＴ１４のサブルーチン）
図８は前記実施例１の画像形成装置の光沢シートの画像記録動作制御信号出力処理のフローチャートであり、前記図６のＳＴ１４のサブルーチンのフローチートである。
ＳＴ１４のサブルーチンの処理がスタートすると、ＳＴ３１においてＴ１≧Ｔ１ａか否かを判断する。すなわち、加熱ロール中央部温度センサＳＮ１の検出温度Ｔ１が下限設定値Ｔ１ａ（＝１８３℃）以上か否かを判断する。イエス（Ｙ）の場合はＳＴ３２に移り、ノー（Ｎ）の場合はＳＴ３１を繰り返す。
ＳＴ３２において、Ｔ３≦Ｔ３ｂか否かを判断する。すなわち、定着装置下流領域温度センサＳＮ３の検出温度Ｔ３がＴ３ｂ（＝３５℃）以下か否かを判断する。ノー（Ｎ）の場合はＳＴ３３に移り、イエス（Ｙ）の場合はＳＴ３４に移る。
ＳＴ３３において、Ｆ１＝「０」とする。すなわち、１頁分の画像の記録開始可否判別フラグＦ１を記録開始不可とする。そして、前記ＳＴ３２に戻る。
ＳＴ３４において、Ｆ１＝「１」とする。すなわち、１頁分の画像の記録開始可否判別フラグＦ１を記録開始可とする。そして、ＳＴ３５に移る。
ＳＴ３５において、原稿画像が有るか否かを判断する。イエス（Ｙ）の場合はＳＴ３６に移り、ノー（Ｎ）の場合は前記ＳＴ１１に戻る。
【００５３】
ＳＴ３６において、画像記録シートサイズＳＳがＳＳ≦Ａ４ＳＥＦか否かを判断する。イエス（Ｙ）の場合はＳＴ３７に移り、ノー（Ｎ）の場合はＳＴ３８に移る。
ＳＴ３７において、シートサイズ判別フラグＦｓｓをＦｓｓ＝「０」とする。Ｆｓｓ＝「０」は、小サイズシート（幅がＡ４ＳＥＦ以下のシート）を意味する。
ＳＴ３８において、シートサイズ判別フラグＦｓｓをＦｓｓ＝「１」とする。Ｆｓｓ＝「１」は、大サイズシート（幅がＡ４ＳＥＦより大きいシートまたは、サイズ検知が不可能なシート）を意味する。すなわち、シートサイズの検知が不可能な場合、シートサイズが不明なシートは大サイズシートとして処理される。
前記ＳＴ３７、ＳＴ３８の次にＳＴ３９に移る。
ＳＴ３９において、Ｔ３≦Ｔ３ａか否かを判断する。すなわち、定着装置下流領域温度センサＳＮ３の検出温度Ｔ３がＴ３ａ（＝３０℃）以下か否かを判断する。イエス（Ｙ）の場合はＳＴ４０に移り、ノー（Ｎ）の場合はＳＴ４１に移る。
ＳＴ４０において、次の処理を実行する。
（１）プロセス速度設定値判別フラグＦｖをＦｖ＝「１」とする。Ｆｖ＝「１」は、プロセス速度の設定速度が中速度Ｖ１であることを意味する。
（２）Ｆｈ回転速度設定値判別フラグＦｖ′をＦｖ′＝「１」とする。Ｆｖ′＝「１」は、Ｆｈ回転速度（加熱シート搬送速度）の設定速度が中速度Ｖ１であることを意味する。
ＳＴ４１において次の処理を実行する。
（１）プロセス速度設定値判別フラグＦｖをＦｖ＝「１」とする。Ｆｖ＝「１」は、プロセス速度の設定速度が中速度Ｖ１であることを意味する。なお、プロセス速度の設定値はＶ０（高速度）と、Ｖ１（中速度）のみであり、本実施例１では低速度の設定値は無い。
（２）Ｆｈ回転速度設定値判別フラグＦｖ′をＦｖ′＝「２」とする。Ｆｖ′＝「２」は、Ｆｈ回転速度（加熱シート搬送速度）の設定速度が低速度Ｖ２であることを意味する。
前記ＳＴ４０、ＳＴ４１の次にＳＴ４２に移る。
ＳＴ４２において、記録シートへの１頁分の画像転写終了か否かを判断する。ノー（Ｎ）の場合はＳＴ４２を繰り返し実行し、イエス（Ｙ）の場合は前記ＳＴ３２に戻る。
【００５４】
（定着ロール回転制御処理のメインルーチン）
図９は前記実施例１の画像形成装置の定着ロール回転制御処理のフローチャートである。
図９において、定着ロール回転制御処理理が開始されると、ＳＴ５１において、ジョブ開始入力が有ったか否か判断する。イエス（Ｙ）の場合はＳＴ５２に移り、ノー（Ｎ）の場合はＳＴ５１を繰り返し実行する。
ＳＴ５２において、Ｆｈ回転速度設定値判別フラグＦｖ′がＦｖ′＝「０」か否かを判断する。イエス（Ｙ）の場合はＳＴ５３に移り、ノー（Ｎ）の場合はＳＴ５４に移る。
【００５５】
前記ＳＴ５２においてイエス（Ｙ）の場合（Ｆｖ′＝「０」の場合）は非光沢シートを使用する場合であり、加熱ロールＦｈはプロセス速度と同一の高速度Ｖ０で回転する。
この場合、加熱定着シートの搬送速度であるので、定着領域Ｑ５から排出された非光沢シートが第１接触ロールＲｃに接触するまでの時間が短くなる。すなわち、加熱定着シートが冷却される前に第１接触ロールＲｃに接触するが、前記非光沢シートの場合には光沢ムラ等の問題は発生しない。
ＳＴ５４において、Ｆｖ′＝「１」か否かを判断する（すなわち、定着装置下流領域温度センサＳＮ３の検出温度Ｔ３がＴ３ａ≦３０℃か否かを判断する）。イエス（Ｙ）の場合はＳＴ５５に移り、ノー（Ｎ）の場合はＳＴ５６に移る。
ＳＴ５５において、加熱ロールＦｈを中速度Ｖ１（＜Ｖ０）で回転させる。すなわち、光沢シートに画像形成する場合、前記通常速度Ｖ０より速度の遅い中速度Ｖ１に設定することにより定着領域Ｑ５を通過したシートＳが第１接触ロールＲｃに接触するまでの時間が長くなる。したがって、前記画像形成された光沢シートは、第１接触ロールＲｃに接触するまでに冷却される。
【００５６】
ＳＴ５６において、加熱ロールＦｈを前記中速度Ｖ１よりも遅い低速度Ｖ２で回転させる。すなわち、光沢シート使用時で且つＴ３ａ≦３０℃の時の中速度Ｖ１と比較して遅い低速度Ｖ２で定着領域Ｑ５から搬送される光沢シートは、前記定着装置下流領域温度Ｔ３が高温（Ｔ３＞Ｔ３ａ）でも第１接触ロールＲｃに接触するまでに冷却される。
前記ＳＴ５５、ＳＴ５６の次にＳＴ５７に移る。
ＳＴ５７において、記録シートへの１頁分の画像転写終了したか否か判断する。イエス（Ｙ）の場合は前記ＳＴ５２に戻り、ノー（Ｎ）の場合はＳＴ５８に移る。
ＳＴ５８において、ジョブ終了か否か判断する。ノー（Ｎ）の場合は前記ＳＴ５７に戻り、イエス（Ｙ）の場合はＳＴ５９に移る。
ＳＴ５９において、加熱ロールＦｈを停止させる。
ＳＴ５９の次に前記ＳＴ５１に戻る。
【００５７】
（ジョブ時ヒータ制御処理のメインルーチン）
図１０は前記実施例１の画像形成装置のジョブ時ヒータ制御処理のフローチャートである。
図１０において、ジョブ時ヒータ制御処理が開始されると、ＳＴ６１において、ジョブ開始入力が有ったか否か判断する。イエス（Ｙ）の場合はＳＴ６２に移り、ノー（Ｎ）の場合はＳＴ６１を繰り返し実行する。
ＳＴ６２において、Ｔ１≧Ｔ１ａか否かを判断する。すなわち、加熱ロール中央部温度センサＳＮ１の検出温度Ｔ１が下限設定値Ｔ１ａ（＝１８３℃）以上か否かを判断する。イエス（Ｙ）の場合はＳＴ６８に移り、ノー（Ｎ）の場合はＳＴ６３に移る。
ＳＴ６３において、Ｔ３≦Ｔ３ｂか否かを判断する。すなわち、定着装置下流領域温度センサＳＮ３の検出温度Ｔ３がＴ３ｂ（＝３５℃）以下か否かを判断する。ノー（Ｎ）の場合はＳＴ６９に移り、イエス（Ｙ）の場合はＳＴ６４に移る。
ＳＴ６４において、Ｆｓｓ＝「１」か否かを判断する。すなわち、シートサイズ判別フラグＦｓｓが大サイズシート（幅がＡ４ＳＥＦより大きいシートまたは、サイズ検知が不可能なシート）か否かを判断する。ノー（Ｎ）の場合はＳＴ６７に移り、イエス（Ｙ）の場合はＳＴ６５に移る。
ＳＴ６５において、Ｔ２≦Ｔ２ａか否かを判断する。すなわち、加熱ロール端部温度センサＳＮ２の検出温度Ｔ２がヒータ切替用設定値（＝１７０℃）以下か否かを判断する。ノー（Ｎ）の場合はＳＴ６７に移り、イエス（Ｙ）の場合はＳＴ６６に移る。
【００５８】
ＳＴ６６において、大サイズヒータｈ２をオンにする。
ＳＴ６７において、小サイズヒータｈ１をオンにする。
前記ＳＴ６６、ＳＴ６７の次にＳＴ７０に移る。
ＳＴ６８において、Ｔ１≦Ｔ１ｂか否かを判断する。すなわち、加熱ロール中央部温度センサＳＮ１の検出温度Ｔ１が上限設定値Ｔ１ｂ（＝１８７℃）以上か否かを判断する。イエス（Ｙ）の場合はＳＴ７０に移り、ノー（Ｎ）の場合はＳＴ６９に移る。
ＳＴ６９において、小サイズヒータｈ１および大サイズヒータｈ２をオフにする。そして、ＳＴ７０に移る。
ＳＴ７０において、ジョブ終了か否かを判断する。イエス（Ｙ）の場合はＳＴ７１に移り、ノー（Ｎ）の場合はＳＴ６２に戻る。
ＳＴ７１において、小サイズヒータｈ１および大サイズヒータｈ２をオフにする。そして、ＳＴ６１に戻る。
【００５９】
（ジョブ時排気ファン制御処理のメインルーチン）
図１１は前記実施例１の画像形成装置のジョブ時排気ファン制御処理のフローチャートである。
図１１において、ジョブ時ヒータ制御処理が開始されると、ＳＴ８１において、ジョブ開始入力が有ったか否か判断する。イエス（Ｙ）の場合はＳＴ８２に移り、ノー（Ｎ）の場合はＳＴ８１を繰り返し実行する。
ＳＴ８２において、排気ファンを駆動する。排気ファン４を駆動した場合、前記定着領域Ｑ５から第１接触ロールＲｃまで搬送される加熱定着シートを冷却する。
ＳＴ８３において、ジョブ終了か否かを判断する。イエス（Ｙ）の場合はＳＴ８４に移り、ノー（Ｎ）の場合はＳＴ８３を繰り返し実行する。
ＳＴ８４において、排気ファンを停止し、前記ＳＴ８１に戻る。
【００６０】
（実施例１の作用）
前記構成を備えた実施例１の画像形成装置Ｕでは、シート種類入力キーＵＩ５により前記画像記録に使用されるシートＳの種類が入力される。シート種類判別手段Ｃ１は、前記シート種類入力キーＵＩ５から入力されたシートＳの種類が光沢シートＳであるか否かを判別する。
【００６１】
前記非光沢シートに画像形成する場合、画像記録用のシートＳを搬送するためのシート搬送路ＳＨ１〜ＳＨ３とシート搬送部材Ｒｐ，Ｒｓ，Ｒａ，Ｒｒ，ＨＢとを有するシート搬送装置ＳＨは、前記シート搬送路ＳＨ１〜ＳＨ３の途中に設定された転写領域Ｑ４および定着領域Ｑ５に順次シートＳを搬送する。トナー像形成装置ＵＹ〜ＵＫは、前記転写領域Ｑ４を通過するシートＳ上にトナー像を形成する。
一対の定着ロールＦｈ，Ｆｐを有する定着装置Ｆは、前記定着領域Ｑ５を通過する非光沢シートＳ上のトナー像を加熱定着する。前記定着装置Ｆのシート搬送方向下流側に配置された加熱シート搬送路８＋９は、前記加熱定着された非光沢シートＳを搬送する。前記定着領域Ｑ５を通過した加熱定着された非光沢シートＳのトナー像は、最初にシート搬送用の第１接触ローラＲｃに接触する。非光沢シートＳを使用する場合は、光沢ムラが問題になることは少ないのでプロセス速度および加熱ロールＦｈの周速度（トナー像形成装置ＵＹ〜ＵＫの構成部材および前記シート搬送部材Ｒｐ，Ｒｓ，Ｒａ，Ｒｒ，ＨＢの駆動速度であるプロセス速度）は高速な通常速度Ｖ０に制御される。
【００６２】
前記光沢シートに画像形成する場合、前記プロセス速度制御手段Ｃ６は、前記トナー像形成装置ＵＹ〜ＵＫの構成部材および前記シート搬送部材Ｒｐ，Ｒｓ，Ｒａ，Ｒｒ，ＨＢの駆動速度であるプロセス速度を中速度Ｖ１（＜Ｖ０）に制御する。前記光沢シートに画像形成する場合、加熱シート搬送速度制御手段Ｃ７は、前記定着装置下流領域温度センサＳＮ３の検出温度Ｔ３が所定の設定温度（搬送速度切替用設定値）Ｔ３ａ（＝３０℃）以下のとき（Ｔ３≦Ｔ３ａのとき）には、前記加熱ロールＦｈの周速度を中速度Ｖ１（＜Ｖ０）に制御する。
このとき前記プロセス速度および加熱ロールＦｈの周速度Ｖ１は共に、前記通常速度Ｖ０よりも遅い中速度Ｖ１（＜Ｖ０）に制御される。すなわち、定着領域Ｑ５から第１接触ロールＲｃまで搬送される加熱定着された光沢シートのシート搬送速度Ｖ１は、前記加熱ロールＦｈを前記通常速度Ｖ０で回転制御したときのシート搬送速度Ｖ０よりも遅くなる。したがって、前記定着領域Ｑ５で加熱定着された光沢シートは、前記第１接触ロールＲｃに搬送されるまでのシート搬送時間が長くなるので、その間にシートが冷却される。前記光沢シートは、第１接触ロールＲｃに搬送されるまでに冷却されるので、光沢ムラの少ない画像を形成することができる。
【００６３】
加熱シート搬送速度制御手段Ｃ７は、光沢シートの使用時で且つ前記定着装置下流領域温度センサＳＮ３の検出温度Ｔ３が高温（Ｔ３ｂ≧Ｔ３＞Ｔ３ａ）の場合、前記加熱ロールＦｈの周速度をＶ２（＜Ｖ１）に制御する。
前記加熱ロールＦｈの周速度は、前記速度Ｖ１よりも遅い速度Ｖ２（＜Ｖ１）で制御されるので、定着領域Ｑ５から第１接触ロールＲｃまで搬送される加熱定着された光沢シートのシート搬送速度は、前記加熱ロールＦｈを速度Ｖ１で回転制御したときのシート搬送速度よりも遅くなる。したがって、前記定着装置下流領域温度センサＳＮ３の検出温度Ｔ３が高温（Ｔ３ｂ≧Ｔ３＞Ｔ３ａ）の場合、前記転写領域Ｑ５を通過したシートが第１接触ロールＲｃに接触するまでのシート搬送時間がＴ３≦Ｔ３ａのときに比べて長くなる。したがって、前記定着領域Ｑ５で加熱定着された光沢シートは、前記第１接触ロールＲｃに接触するまでにシートが冷却されるので、光沢ムラの少ない画像を形成することができる。
【００６４】
トナー像形成動作中断手段Ｃ８は、前記定着装置下流領域温度センサＳＮ３の検出温度Ｔ３が所定のジョブ時上限設定値Ｔ３ｂよりも大きい場合（Ｔ３＞Ｔ３ｂ）には、定着装置下流領域温度センサＳＮ３の検出温度Ｔ３が前記設定温度Ｔ３ｂ以下になるまで前記トナー像形成装置ＵＹ〜ＵＫのトナー像形成動作を中断する。この中断動作により、加熱シートＳの表面温度を、トナーに含まれるワックスの融点温度（例えば８５℃〜９０℃）以下に低下させてから、加熱シートＳを第１接触ロールＲｃに接触させることが可能となる。
【産業上の利用可能性】
【００６５】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（Ｈ01）本実施例では、前記定着装置下流領域温度Ｔ３を低下させるために排気ダクト３および排気ファン４を使用したが定着装置下流領域に冷却風を送風する送風ファンおよび送風ダクトを使用することが可能である。
（Ｈ02）定着装置下流領域温度センサＳＮ３の検出温度Ｔ３が所定の設定温度Ｔ３ａよりも大きい場合には、前記トナー像形成装置ＵＹ〜ＵＫの構成部材および前記シート搬送部材（Ｒｐ，Ｒｓ，Ｒａ，Ｒｒ，ＨＢ）の駆動速度であるプロセス速度を低下させるように構成することが可能である。
【図面の簡単な説明】
【００６６】
【図１】図１は本発明の画像形成装置の実施例１の説明図である。
【図２】図２は前記図１に示す定着装置の拡大断面図である。
【図３】図３は前記図２のIII−III線要部断面図である。
【図４】図４は実施例１の画像形成装置の制御部分が備えている各機能をブロック図（機能ブロック図）で示した図である。
【図５】図５は本発明の実施例１の画像形成装置の光沢シート判別フラグ設定処理のフローチャートである。
【図６】図６は前記実施例１の画像形成装置のジョブ時画像記録動作制御信号出力処理のフローチャートである。
【図７】図７は前記実施例１の画像形成装置の非光沢シート（光沢シート以外のシート）の画像記録動作制御信号出力処理のフローチャートであり、前記図６のＳＴ１３のサブルーチンのフローチートである。
【図８】図８は前記実施例１の画像形成装置の光沢シートの画像記録動作制御信号出力処理のフローチャートであり、前記図６のＳＴ１４のサブルーチンのフローチートである。
【図９】図９は前記実施例１の画像形成装置の定着ロール回転制御処理のフローチャートである。
【図１０】図１０は前記実施例１の画像形成装置のジョブ時ヒータ制御処理のフローチャートである。
【図１１】図１１は前記実施例１の画像形成装置のジョブ時排気ファン制御処理のフローチャートである。
【符号の説明】
【００６７】
Ｃ１…シート種類判別手段、
Ｃ７…加熱シート搬送速度制御手段、
Ｃ８…トナー像形成動作中断手段、
Ｆｈ，Ｆｐ…一対の定着ロール、
Ｆ…定着装置、
Ｑ４…転写領域、
Ｑ５…定着領域、
Ｒｃ…第１接触ローラ、
Ｓ…画像記録用のシート（または、加熱定着シート）、
ＳＨ…シート搬送装置、
ＳＮ３…定着装置下流領域温度センサ、
Ｔ３…定着装置下流領域温度、
Ｔ３ａ…所定の設定温度、
ＵＹ〜ＵＫ…トナー像形成装置、
（８＋９）…加熱シート搬送路、
（Ｒｐ，Ｒｓ，Ｒａ，Ｒｒ，ＨＢ）…シート搬送部材、
（ＳＨ１〜ＳＨ３）…シート搬送路、
【図１】
2005062700.tif 000003
【図２】
2005062700.tif 000004
【図３】
2005062700.tif 000005
【図４】
2005062700.tif 000006
【図５】
2005062700.tif 000007
【図６】
2005062700.tif 000008
【図７】
2005062700.tif 000009
【図８】
2005062700.tif 000010
【図９】
2005062700.tif 000011
【図１０】
2005062700.tif 000012
【図１１】
2005062700.tif 000013